(57)【要約】【課題】  排泄物の横漏れによる水質汚染をより確実に防止でき、カラーデザインを有して見栄えがよく、下着感覚や水着感覚をもって着用できる、とくに乳幼児が水遊びをするのに適した紙おむつから成る使い捨て水着を提供する。【解決手段】  少なくとも、両側部に立体ギャザーを有し肌当接面側に配設されるトップシートと、外面側に配設されるバックシートと、前記シート間に介在された吸収体とにより形成された水着本体の外面側に外部から視認できるカラーデザインを施す。【選択図】  図３
2005296372.tif 000002
【特許請求の範囲】
【請求項１】
少なくとも、両側部に立体ギャザーを有し肌当接面側に配設されるトップシートと、外面側に配設されるバックシートと、前記シート間に介在された吸収体とにより形成された水着本体の外面側に外部から視認できるカラーデザインを施して成ることを特徴とする使い捨て水着。
【請求項２】
前記カラーデザインは、高い透明度を有し前記水着本体の最外層に配設されたバックシートの少なくとも内面に施されていることを特徴とする請求項１に記載の使い捨て水着。
【請求項３】
前記カラーデザインは、高い透明度を有し前記水着本体の最外層に配設されるバックシートの内側に装着されたデザインシートの外面に施されていることを特徴とする請求項１に記載の使い捨て水着。
【請求項４】
前記カラーデザインは、高い透明度を有し前記水着本体の最外層に配設されるバックシートの内側に装着された防水フィルムの外面に施されていることを特徴とする請求項１に記載の使い捨て水着。
【請求項５】
前記高い透明度を有し前記水着本体の最外層に配設されるバックシートは、表面が平滑処理された不織布であることを特徴とする請求項２ないし請求項４のいずれかに記載の使い捨て水着。
【請求項６】
前記カラーデザインは、前記水着本体の幅をＡ、前記デザイン印刷の面幅をＢとしたとき、Ａ＞Ｂ≧１／３Ａなる関係をもって印刷された複数パターンから成ることを特徴とする請求項１ないし請求項５のいずれかに記載の使い捨て水着。
【請求項７】
前記複数パターンのデザインは、隣接する印刷面のパターンが相対色に近い近似色で印刷されていることを特徴とする請求項６に記載の使い捨て水着。
【請求項８】
前記カラーデザインは、均等に配置した単一模様を連続して複数に配列して成っていることを特徴とする請求項１ないし請求項７のいずれかに記載の使い捨て水着。
【請求項９】
前記カラーデザインは、前記単一模様にキャラクター模様が付加されて成っていることを特徴とする請求項８に記載の使い捨て水着。
【請求項１０】
前記カラーデザインは、前記水着本体のエンドフラップ部及び／又はサイドフラップ部にも施されてされていることを特徴とする請求項１ないし請求項９のいずれかに記載の使い捨て水着。
【請求項１１】
前記カラーデザインは、被印刷面に対する着色印刷面の面積率が２０％以上に設定されていることを特徴とする請求項１ないし請求項１０のいずれかに記載の使い捨て水着。
【発明の詳細な説明】
【技術分野】
【０００１】
本発明は使い捨て水着に関し、更に詳細には、排泄物の横漏れによる水質汚染をより確実に防止でき、カラーデザインを有して見栄えがよく、下着感覚や水着感覚をもって着用できる、とくに乳幼児が水遊びをするのに適した紙おむつから成る使い捨て水着に関する。
【背景技術】
【０００２】
乳幼児が水着を着用してプール等で水遊びをしているとき、その乳幼児が尿や便等を排泄してしまうことがある。このような排泄物は水着の脚周り部から外に漏れ出したり、あるいは水着自体から滲み出てプール等の水を汚す結果を招く。そこで、このような乳幼児の排泄物による水質汚染を防止するために、乳幼児が水遊びをする場合には、保護者はこの乳幼児に排泄物の漏れ防止が図られている使い捨ての紙おむつを着用させるのが一般的である。
【０００３】
この使い捨ての紙おむつは、目的や用途等により形状や構成等が幾分異なるが、その基本的な構成には大差がなく、通常、肌当接面側に配設されるトップシートと、裏面側に配設されるバックシートと、前記シート間に介在された吸収体とにより紙おむつ本体をパンツ型に形成して成っている。なお、使い捨ての紙おむつの中にはファスニングテープにより前身頃と後身頃を止着して着用する、いわゆるテープ式の紙おむつがあるが、使用時の形態は従来の下着用パンツと何ら変わりがないので、本発明ではこのテープ式紙おむつをも含めてパンツ型と定義する。
【０００４】
従来、このような使い捨て紙おむつの中には、着用に際して前後の区別、あるいはサイズ等を表示する目的で、着用時に外部から視認できる種々の模様や文字等をバックシートにより構成される前身頃や後身頃の一部に印刷したものがある。とくに、乳幼児向けのパンツ型紙おむつでは、動物や乗り物、あるいはキャラクター等の乳幼児が好む図柄や模様を印刷したものが知られている。
【０００５】
図９は、その一例である特許文献１に開示されたパンツ型の使い捨て紙おむつの斜視図である。すなわち、この紙おむつ１０は、表面側、すなわち肌当接面側に配設されるトップシート１１と、外面側の最外層に配設されるバックシート１２と、これらのシート間に配設された吸収体１３から成る紙おむつ本体の両側端部１４を溶着し、前身頃１０ＦＰ及び後身頃１０ＢＰを形成することによりパンツ型としたもので、前身頃１０ＦＰ側のバックシート１２には印刷模様（象の顔）から成るデザイン１５が印刷されている。
【０００６】
しかしながら、このようなデザイン１５を有する紙おむつ１０は、あくまでも室内等で使用されることを条件とし製造されるもので、水中においても使用されることを考慮して製造されるものではなかった。このため、この紙おむつ１０を乳幼児が着用して水中に入ると、とくにその紙おむつが立体ギャザー等の漏れ防止部材を有しない紙おむつである場合には、乳幼児の便や尿等の排泄物が横漏れして水中に流出し、水を汚してしまうという恐れが依然としてあった。
【０００７】
また、上述したように、施されるデザイン１５が部分的なものであったため、このデザイン１５は水の外側からは見え難いものとなっていた。とくにデザイン１５がバックシート１２の内面に印刷されているような場合には、当該バックシー１２の不透明性に起因して外側からは一層見え難くなり、また、デザイン１５がバックシート１２の外面に印刷されているような場合には、印刷面が直接水に触れるため、この印刷面の色彩が次第に退色し、あるいは印刷インクが次第に落ちてデザイン１５が消えてしまうという欠点があった。
【０００８】
更にまた、上述した従来の紙おむつ１０は、デザイン１５が紙おむつ１０の外面に部分的に施されたものであったため、紙おむつ１０のエンドフラップ部１０ＥＦ、あるいはサイドフラップ部１０ＳＦにおける弾性伸縮部材１６が目立ち、いかにも紙おむつを着用して水遊びをしているとのイメージが先に立って見栄えが悪く、このため従来の紙おむつ１０では下着感覚や水着感覚が得られなかった。
【０００９】
なお、バックシートの外面全域に外部から視認できるカラーデザインを施し、下着感覚を持たせた使い捨て紙おむつが本出願人より特許文献２で提案されているが、この紙おむつも上述した紙おむつ１０と同様に水中で使用されるものではなく、このため前記カラーデザインは水中において美しく見えるように配慮されたものではなかった。
【特許文献１】特開２０００−９３４５８公報
【特許文献２】特開２００３−７０８３８公報
【発明の開示】
【発明が解決しようとする課題】
【００１０】
本発明は上述したような実情に鑑みなされたもので、その目的とするところは、排泄物の横漏れによる水質汚染をより確実に防止でき、カラーデザインを有して見栄えがよく、下着感覚や水着感覚をもって着用できる、とくに乳幼児が水遊びをするのに適した紙おむつから成る使い捨て水着を提供することにある。
【課題を解決するための手段】
【００１１】
本発明の上記目的は、少なくとも、両側部に立体ギャザーを有し肌当接面側に配設されるトップシートと、外面側に配設されるバックシートと、前記シート間に介在された吸収体とにより形成された水着本体の外面側に外部から視認できるカラーデザインを施して成ることを特徴とする使い捨て水着を提供することによって達成される。
【００１２】
また、本発明の上記目的は、前記カラーデザインは、高い透明度を有し前記水着本体の最外層に配設されるバックシートの少なくとも内面に施されていることを特徴とする使い捨て水着を提供することによって、より効果的に達成される。
【００１３】
また、本発明の上記目的は、前記カラーデザインは、高い透明度を有し前記水着本体の最外層に配設されるバックシートの内側に装着されたデザインシートの外面に施されていることを特徴とする使い捨て水着を提供することによって、より効果的に達成される。
【００１４】
また、本発明の上記目的は、前記カラーデザインは、高い透明度を有し前記水着本体の最外層に配設されるバックシートの内側に装着された防水フィルムの外面に施されていることを特徴とする使い捨て水着を提供することによって、より効果的に達成される。
【００１５】
また、本発明の上記目的は、前記高い透明度を有し前記水着本体の最外層に配設されるバックシートは、表面が平滑処理された不織布であることを特徴とする使い捨て水着を提供することによって、より効果的に達成される。
【００１６】
また、本発明の上記目的は、前記カラーデザインは、前記水着本体の幅をＡ、前記デザイン印刷の面幅をＢとしたとき、Ａ＞Ｂ≧１／３Ａなる関係をもって印刷された複数パターンから成ることを特徴とする使い捨て水着を提供することによって、より効果的に達成される。
【００１７】
また、本発明の上記目的は、前記複数パターンのデザインは、隣接する印刷面のパターンが相対色に近い近似色で印刷されていることを特徴とする使い捨て水着を提供することによって、より効果的に達成される。
【００１８】
また、本発明の上記目的は、前記カラーデザインは、均等に配置した単一模様を連続して複数に配列して成っていることを特徴とする使い捨て水着を提供することによって、より効果的に達成される。
【００１９】
また、本発明の上記目的は、前記カラーデザインは、前記単一模様にキャラクター模様が付加されて成っていることを特徴とする使い捨て水着を提供することによって、より効果的に達成される。
【００２０】
また、本発明の上記目的は、前記カラーデザインは、前記水着本体のエンドフラップ部及び／又はサイドフラップ部にも施されてされていることを特徴とする使い捨て水着を提供することによって、より効果的に達成される。
【００２１】
更にまた、本発明の上記目的は、前記カラーデザインは、被印刷面に対する着色印刷面の面積率が２０％以上に設定されていることを特徴とする使い捨て水着を提供することによって、より効果的に達成される。
【発明の効果】
【００２２】
本発明の使い捨て水着によれば、水着本体に立体ギャザーが備えられているので排泄物の横漏れによる水質汚染をより確実に防止することができる。また、カラフルなデザインが水着本体の外部から視認できる部位に施されているので、水中でもこのデザインが美しくはっきり見ることができ、またこのようなデザインを施すことにより紙おむつであるにも拘わらず下着感覚や水着感覚をもって着用することができる。
【００２３】
また、前記カラーデザインが高い透明度を有し前記水着本体の最外層に配設されるバックシートの少なくとも内面に施されている場合、または、このようなバックシートの内側に装着されたデザインシートの外面に施されている場合、更にまた、このようなバックシートの内側に装着された防水フィルムの外面に施されている場合には、当該カラーデザインの色彩が水に濡れて褪せたり消えたりすることを防止することができる。
【００２４】
とくに前記透明性を有し前記水着本体の最外層に配設されるバックシートの表面が平滑処理された不織布である場合には、上述した効果は一層顕著となる。
【００２５】
また、前記デザインの配色や模様等を種々のものに変えることにより、見栄えがよく、魅力的な水着として着用することができる。
【００２６】
更にまた、前記デザインを水着本体のエンドフラップ部及び／又はサイドフラップ部にも施した使い捨て水着によれば、紙おむつとしてのイメージがなくなり、更に一層、下着感覚や水着感覚をもって着用することができる。
【発明を実施するための最良の形態】
【００２７】
以下、本発明の内容を乳幼児用の使い捨て水着を例に説明するが、本発明は必ずしもこのような実施例に限定されるものではなく、特許請求の範囲を逸脱しない範囲において、その構成を種々に変更できることはいうまでもない。
【００２８】
図１は、本発明の一実施形態である使い捨て水着の本体を展開して肌当接面側、すなわち表面側から見た平面図である。なお、本使い捨て水着１００は、構成の一部を除き、上述した従来の使い捨て紙おむつ１０と同様な構成要素から成っている。このため、以下では対応する構成要素に１００番台の同一符号を付して説明する。
【００２９】
本使い捨て水着１００は、肌当接面側に配設され、不織布等から成る透液性のトップシート１０１と、外面側に配設され、ポリエチレン等のプラスチックシートや不織布、あるいはこれらの組み合わせから成る不透液性のバックシート１０２と、これらのシート間に介在された吸収体１０３とにより、従来の紙おむつ１０における紙おむつ本体と同様の、平面形状が砂時計形状とされた水着本体が構成されている。なお、本使い捨て水着１００では、吸収体１０３の両側縁長手方向に、トップシート１０１の表面側に設けられた不織布等から成る立体ギャザーシート１０７と、その内側端縁に沿って配設された糸ゴム等から成る複数本の弾性伸縮部材１０６とにより表面側に起立する立体ギャザー１０８が形成されている。また、吸収体１０３の側縁よりも側方に延在されたバックシート１０２部分と、立体ギャザーシート１０７の外側シート部分とにより吸収体１０３の介在しないサイドフラップ部１００ＳＦが形成され、かつこれらの間には複数本の弾性伸縮部材１０６が水着本体の長手方向に沿って配設されることにより、サイドフラップ部１００ＳＦにはひだ状の平面ギャザー１００ＧＫが形成されている。また、本使い捨て水着１００の前見頃１００ＦＰ及び後見頃１００ＢＰの幅方向には、夫々複数本の弾性伸縮部材１０６が配設され、これによりエンドフラップ部１００ＥＦが形成されている。なお、本使い捨て水着１００では、バックシート１０２と吸収体１０３との間にポリエチレン等から成る不透液性の防水フィルム１０９（図７、図８参照）が配設されている。
【００３０】
以上のとおり構成された水着本体は、製造過程において二つに折られ、前見頃１００ＦＰ側及び後見頃１００ＢＰ側の両側端部１０４が溶着されて、図３に斜視図で示すようなパンツ型の使い捨て水着１００が形成される。上述したように、本使い捨て水着１００では肌当接面側の長手方向に立体ギャザー１０８が起立して設けられているので、乳幼児が水中で便等を排泄しても、この立体ギャザー１０８により排泄物が横漏れすることが防止される。
【００３１】
本使い捨て水着１００では外面側、すなわち最外層に配設されたバックシート１０２側から視認できるデザイン１０５がバックシート１０２の内面に印刷されている。
【００３２】
図２はこのデザイン１０５を示す正面図で、パンツ型に形成された本使い捨て水着１００の本体を二つに折り畳んで前見頃１００ＦＰ側から見たものである。本実施形態ではこのデザイン１０５が円弧状に配設された緑、赤、青、橙の４色から成る色彩によって形成されている。このデザイン１０５は、本使い捨て水着１００の製造過程においてグラビア印刷、あるいはフレキソ印刷等の公知の印刷方式によりバックシート１０２の内面に印刷される。なお、デザイン１０５は裏面側、すなわち後見頃１００ＢＰ側でも同様に施されている。
【００３３】
ここに、デザイン１０５は、図示するように水着本体の幅をＡ、デザイン印刷の面幅をＢとしたとき、Ａ＞Ｂ≧１／３Ａなる関係をもって施されている。これは、Ｂ＜１／３Ａに設定すると、デザイン印刷面が細かくなり過ぎて同一のカラーデザインが同一の水着製品の中に入り込んで複雑化してしまい、逆に、Ｂ＞Ａに設定すると、単色のデザイン印刷面となってカラーバリエーションが得られなくなるからである。
【００３４】
なお、本実施形態のように色彩のみでデザイン１０５を形成する場合には、隣接する印刷面の色彩を相対色に近い近似色で印刷することが望ましい。このように配色すると、明確なカラーバリエーションと美しさを出すことができ、これにより使い捨て水着製品としての商品価値を高めることができる。
【００３５】
本使い捨て水着１００の最外層に配設されるバックシート１０２の素材には、厚みが薄くかつ透明度の高い、不織布、ポリエチレンやポリプロピレン等のオレフィン系樹脂シート、ポリエチレンシート等に不織布を積層したラミネート不織布、更には防水フィルムを介在して実質的に不透液性を確保した不織布シート等が好ましく用いられる。本使い捨て水着では、上述したデザイン１０５が外側から鮮明に見えるようにするため、バックシート１０２の素材としてとくに透明度の高い不織布が用いられ、かつこの不織布の少なくとも内面、すなわちデザイン１０５の印刷面はカレンダー処理等により平滑化されている。
通常、不織布の表裏面には毛羽立ちや厚みむら等により微細な凹凸が形成されているが、このような表面、とくにデザイン１０５が印刷される表面を平滑処理することにより、印刷ロールが滑らかに転動して印刷がし易くなり、これによりかすれのない美しいデザイン１０５を印刷することができる。また、この平滑処理により光の透過性が向上し、これにより不織布自体の透明度をアップすることができる。
【００３６】
このバックシート１０２の素材、すなわち不織布の透明度について実施された本発明者による実験によれば、従来の紙おむつ１０のバックシート１２に通常使用される素材の緑Ｇ、赤Ｒ、青Ｂの３刺激値及び白色度Ｗと、上述した本使い捨て水着１００のバックシート１０２に使用される素材の緑Ｇ１、赤Ｒ１、青Ｂ１の３刺激値及び白色度Ｗ１とを測色色差計で実測した結果、各色に対する測定数値（この測定数値は１００に近い程透明度が高いことを示す）は、測定回数５回の平均値が、バックシート１２素材ではＧ＝２４．８、Ｒ＝２４．５、Ｂ＝２９．１、Ｗ＝４９．７であるのに対し、バックシート１０２素材ではＧ１＝２７．０、Ｒ１＝２６．７、Ｂ１＝３１．７、Ｗ１＝５１．８、となり、３刺激値についてみると、本使い捨て水着１００のバックシート１０２に使用される素材の透明度は従来の紙おむつ１０のバックシート１２使用される素材の透明度に対し約９％高いものとなっていることが判明している。
【００３７】
図３は、上述したデザイン１０５が施された本使い捨て紙おむつ１００が着用され、使用される場合の状態を示す斜視図である。図示されるように、緑、赤、青、橙の４色の曲線縞模様によって形成されたデザイン１０５は水着本体のエンドフラップ部１００ＥＦ及びサイドフラップ部１００ＳＦに至るバックシート１０２の全域に渡って施されているので、紙おむつから成るものではあるが、エンドフラップ部１００ＥＦ及びサイドフラップ部１００ＳＦにおける弾性伸縮部材１０６が目立たず、見栄えがよく、見る人に海水用のパンツないし下着用のパンツのイメージを与えることができる。
【００３８】
本使い捨て水着１００は以上のとおり構成されているので、乳幼児等が着用して水中に入っても、排泄物の漏れ等による水質汚染の心配がなく、また水中においてもデザイン１０５が鮮やかに反映して見え、更にまた見栄えがよいため水着感覚あるいは下着感覚で着用することができるという種々の利点が得られる。
【００３９】
なお、上述した実施形態ではデザイン１０５を図２に示すように色彩のみで形成したが、このデザイン１０５を次ぎのとおりに変更することができる。
【００４０】
図４のデザイン１０５Ａは、ハート１０５ｈ、星１０５ｓ、円１０５ｃ等の図形により形成したものであり、また図５のデザイン１０５Ｂは、小鳥１０５ｂ、子犬１０５ｄ、兎１０５ｒ等の動物の絵柄によって形成したものである。なお、このような図形や絵柄等から成る複数パターンには夫々適当な色彩が割り当てられて印刷に供せられるが、この場合においても、上述したように、隣接する印刷面の色彩は相対色に近い近似色であることが望ましい。また、以上のデザイン１０５（１０５Ａ、１０５Ｂ）は、水着製品幅Ａと印刷面幅Ｂとの間で上述したような関係式をもって施されることが望ましいが、とくに限定されるものではなく、これを図６に示すように、着色部１０５ｖと白抜き部１０５ｗから成る同一矩形状の単一図形（模様）を縦横に（水着製品幅Ａとは無関係に）配設して形成したデザイン１０５Ｃとしてもよく、また、このような単一模様に図５に示すような動物等のキャラクター模様を付加したものであってもよい。なお、このようなキャラクター模様はとくに乳幼児向けの使い捨て水着に付加することが望ましい。
【００４１】
以上の実施形態は、デザイン１０５（１０５Ａ、１０５Ｂ、１０５Ｃ）が水着本体の最外層に配設される透明度の高いバックシート１０２の内面に印刷される場合であるが、このデザインをバックシート１０２の外面に施すこともできる。なお、この場合にはリスクがあることは前述したとおりである。
【００４２】
図７は、本発明の他の実施例に係わる使い捨て水着１００Ａの要部（図１に示す水着本体のＸ−Ｘ部分に相当する部分）の層構成を示す断面図である。図示するように、本使い捨て水着１００Ａは、肌当接面側より順に、両側部に立体ギャザー１０８を有するトップシート１０１、クレープ紙１０３ｃで被覆された吸収体１０３、防水フィルム１０９、デザインシート１１０、バックシート１０２を備えて成っている。
【００４３】
本使い捨て水着１００Ａにおいては上述したデザイン１０５（１０５Ａ、１０５Ｂ、１０５Ｃ）がデザインシート１１０の外面、すなわちバックシート１０２と接する面に印刷されている。なお、このデザインシート１１０は当分野では周知のシート材であって、例えばテープ式紙おむつの前身頃に設けられるＦＴＴ（フロンタルターゲットテープ）等で使用されているものである。このようなデザイン印刷を専用とするシート材を用いると、任意のデザインを別工程で自由かつ容易に行なうことができる利点がある。このようにデザイン１０５（１０５Ａ、１０５Ｂ）がバックシート１０２の内面に装着されたデザインシート１１０に施されていると、不透液性のバックシート１０２により遮蔽されるためデザイン１０５（１０５Ａ、１０５Ｂ）が水に触れて退色したり消えたりすることがなく、またバックシート１０２が高い透明度を有しているため、水中であってもこのデザイン１０５（１０５Ａ、１０５Ｂ、１０５Ｃ）をはっきり見ることができる。
【００４４】
図８は、本発明の更に他の実施例に係わる使い捨て水着１００Ｂの要部を上記同様に示した断面図である。図示するように、本使い捨て水着１００Ｂは、肌当接面側より順に、両側部に立体ギャザー１０８を有するトップシート１０１、クレープ紙１０３ｃで被覆された吸収体１０３、防水フィルム１０９、バックシート１０２を備えて成るもので、上述したデザインシート１１０を有しないものである。
【００４５】
本使い捨て水着１００Ｂにおいては上述したデザイン１０５（１０５Ａ、１０５Ｂ、１０５Ｃ）が防水フィルム１０９の外面、すなわちバックシート１０２と接する面に印刷されている。この防水フィルム１０９は、例えばポリエチレン等の樹脂により形成され、吸収体１０３の裏面側を覆うようにして設けられる公知のものである。本使い捨て水着１００Ｂによっても上記同様な効果が得られる。
【００４６】
なお、上述したように、本発明に係わる使い捨て水着においてはデザイン１０５（１０５Ａ、１０５Ｂ、１０５Ｃ）はいずれの場合においても着色により形成されるが、このカラーデザインは被印刷面に対する着色印刷面の面積率が２０％以上であることが望ましい。この面積率が２０％より小さいと、水着感覚や下着感覚が得られず、従来の紙おむつ１０と同様に、依然として使い捨ての紙おむつの域を出ないからである。
【００４７】
以上に詳述したように、本発明に係わる使い捨て水着は、従来の紙おむつとしての機能を有するので紙おむつ製品としての商品価値を有することはいうまでもなく、排泄物の横漏れによる水質汚染をより確実に防止でき、カラーデザインを有して見栄えがよく、下着感覚や水着感覚をもって着用できる使い捨ての水着として、その機能を十分に発揮するものである。
【産業上の利用可能性】
【００４８】
本発明に係わる使い捨て水着は、上述したようなパンツ型の使い捨て水着に限らず、ファスニングテープで止着し、あるいはベルトを締めることにより着用するようにした使い捨て水着としても利用することができる。
【図面の簡単な説明】
【００４９】
【図１】本発明の一実施形態に係わる使い捨て水着の展開平面図である。
【図２】使い捨て水着に施されるカラーデサインの一例を示す正面図である。
【図３】本発明の一実施形態に係わる使い捨て水着の装着時の状態を示す斜視図である。
【図４】使い捨て水着に施されるカラーデサインの変更例を示す正面図である。
【図５】使い捨て水着に施されるカラーデサインの他の変更例を示す正面図である。
【図６】使い捨て水着に施されるカラーデサインの更に他の変更例を示す正面図である。
【図７】本発明の他の実施形態に係わる使い捨て水着の要部断面図である。
【図８】本発明の更に他の実施形態に係わる使い捨て水着の要部断面図である。
【図９】従来の使い捨て紙おむつの斜視図である。
【符号の説明】
【００５０】
１０                                  従来の使い捨て紙おむつ
１０ＥＦ、１００ＥＦ                  エンドフラップ
１０ＳＦ、１００ＳＦ                  サイドフラップ
１０ＦＰ、１００ＦＰ                  前身頃
１０ＢＰ、１００ＢＰ                  後身頃
１１、１０１                          トップシート
１２、１０２                          バックシート
１３、１０３                          吸収体
１４、１０４                          側端部
１５、１０５、１０５Ａ、Ｂ、Ｃ        デザイン
１６、１０６                          弾性伸縮部材
１００、１００Ａ、１００Ｂ            本発明に係わる使い捨て水着
１０８                                立体ギャザー
１０９                                防水フィルム
１１０                                デザインシート
【図１】
2005296372.tif 000003
【図２】
2005296372.tif 000004
【図３】
2005296372.tif 000005
【図４】
2005296372.tif 000006
【図５】
2005296372.tif 000007
【図６】
2005296372.tif 000008
【図７】
2005296372.tif 000009
【図８】
2005296372.tif 000010
【図９】
2005296372.tif 000011